(57)【要約】【課題】移動側レールを引き出した際、固定側レールに対して移動側レールを所望の位置に固定できるとともに、強度を向上させることが可能なスライドレールを提供する。【解決手段】固定側レール１２と、移動側レール１１と、移動側レール１１に設けられ固定側レール１２の折り曲げ部１２Ｂ，１２Ｃに外周が当接可能な大径コロ１４と、固定側レール１２に設けられ移動側レール１１の折り曲げ部１１Ｂ，１１Ｃに外周が当接可能な小径コロ１８と、移動側レール１１に設けられた移動側ロック部材１６と、固定側レール１２に設けられた固定側ロック部材２１とを備え、移動側ロック部材１６は下方に突出した凸部１６Ｃを、固定側ロック部材２１は上方に突出した凸部２１Ｃをそれぞれ有し、移動側レール１１を引き出した際、凸部１６Ｃが凸部２１Ｃを乗り越えて両凸部１６Ｃ，２１Ｃが互いに係合することにより、移動側ロック部材１６がロックされて移動側レール１１が固定される。【選択図】図１
2012245140.tif 000002
【特許請求の範囲】
【請求項１】
固定され上下側端部が折り曲げられた固定側レールと、
前記固定側レールの折り曲げ部間に配設され、該固定側レールの奥側へ挿入自在であり且つ該固定側レールの手前側へ引出自在であるとともに、上下側端部が前記固定側レールに向けて折り曲げられた移動側レールと、
前記移動側レールに設けられ前記固定側レールの折り曲げ部に外周面が当接可能な大径コロと、
前記固定側レールに設けられ前記移動側レールの折り曲げ部に外周面が当接可能であり且つ前記大径コロよりも径の小さい小径コロと、
前記移動側レールに取り付けられた移動側ロック部材と、
前記固定側レールに取り付けられた固定側ロック部材とを備え、
前記大径コロは、前記移動側レールのうち該移動側レールの挿入方向に沿って奥側端部に配設され、且つ前記小径コロは、前記固定側レールのうち前記移動側レールの引出方向に沿って手前側端部に配設され、
前記移動側ロック部材は下方に突出した凸部を、前記固定側ロック部材は上方に突出した凸部をそれぞれ有し、前記移動側レールを引き出した際、前記移動側ロック部材の凸部が前記固定側ロック部材の凸部を乗り越えて前記両凸部が互いに係合することにより、前記移動側ロック部材が前記固定側ロック部材にロックされ、前記移動側レールが前記固定側レールに固定されることを特徴とするスライドレール。
【請求項２】
前記固定側レールにおける上下側端部の前記折り曲げ部の間隔は前記移動側レールの幅よりも大きく形成され、
前記移動側レールは、前記移動側ロック部材の前記固定側ロック部材へのロック時、及び前記移動側ロック部材の前記固定側ロック部材からのロック解除時に、前記間隔内で、前記大径コロの中心軸を中心に揺動自在に構成されていることを特徴とする請求項１に記載のスライドレール。
【請求項３】
前記移動側ロック部材の凸部及び前記固定側ロック部材の凸部は、互いに係合する部分に、前記移動側レールの挿入方向及び引出方向に対して垂直または傾斜した係合面を有することを特徴とする請求項１又は２に記載のスライドレール。
【請求項４】
前記移動側ロック部材及び前記固定側ロック部材の少なくとも一方には、前記移動側レールの挿入方向及び引出方向に沿って前記凸部に隣接して突き当て部が設けられ、前記移動側レールを引き出した際、前記凸部が前記突き当て部に当接することにより、前記移動側レールの引出量が規制されることを特徴とする請求項１〜３のいずれか一項に記載のスライドレール。
【請求項５】
前記移動側ロック部材の凸部及び前記固定側ロック部材の凸部は、それぞれ先端側に先端傾斜面を有し、前記移動側レールを引き出した際、前記先端傾斜面同士が接しながら、前記移動側ロック部材の凸部が前記固定側ロック部材の凸部を乗り越えることを特徴とする請求項１〜４のいずれか一項に記載のスライドレール。
【請求項６】
前記固定側レールの上下側端部の折り曲げ部のうち上側の折り曲げ部を、前記移動側レールの引出方向に沿った手前側端部でカットするとともに、前記移動側レールの上下側端部の折り曲げ部のうち下側の折り曲げ部に凹部を設け、
前記移動側レールを引き出した際、前記移動側レールの上部側端が前記固定側レールの前記カット部に、前記小径コロが前記凹部にそれぞれ入り込むことを特徴とする請求項１〜５のいずれか一項に記載のスライドレール。
【請求項７】
前記固定側レールの上下側端部の折り曲げ部のうち下側の折り曲げ部を、前記移動側レールの引出方向に沿った手前側端部でカットするとともに、前記移動側レールの上下側端部の折り曲げ部のうち上側の折り曲げ部に凹部を設け、
前記移動側レールを引き出した際、前記移動側レールの下部側端が前記固定側レールの前記カット部に、前記小径コロが前記凹部にそれぞれ入り込むことを特徴とする請求項１〜５のいずれか一項に記載のスライドレール。
【請求項８】
前記移動側ロック部材と前記大径コロとが一体的に構成され、且つ前記固定側ロック部材と前記小径コロとが一体的に構成されていることを特徴とする請求項１〜７のいずれか一項に記載のスライドレール。
【請求項９】
前記移動側ロック部材と前記移動側レールとが一体的に構成され、且つ前記固定側ロック部材と前記固定側レールとが一体的に構成されていることを特徴とする請求項１〜７のいずれか一項に記載のスライドレール。
【請求項１０】
前記固定側レールのうち前記移動側レールの挿入方向先端部に開口部を形成し、該開口部に、前記移動側レールの先端を挟み込んで該移動側レールの挿入量を規制するストッパを設けたことを特徴とする請求項１〜９のいずれか一項に記載のスライドレール。
【請求項１１】
前記移動側レールの前記固定側レールへの挿入方向先端側を先細形状に形成するとともに、該先細形状部分の上下外縁を波打ち形状とし、前記移動側レールを前記固定側レールに完全に挿入したとき、前記先細形状部分は前記ストッパにスナップフィットされることを特徴とする請求項１０に記載のスライドレール。
【請求項１２】
請求項１〜１１のいずれか一項に記載のスライドレールを搭載した画像形成装置。
【発明の詳細な説明】
【技術分野】
【０００１】
本発明はスライドレールに係り、特に、複写機、家具、什器等において、引き出し部を複写機、家具又は什器等の本体に抜き差し可能に取り付けるためのスライドレールに関する。
【背景技術】
【０００２】
従来から、複写機、家具、什器等においては、引き出し部の抜き差し動作を容易に行えるようにするためにスライドレールが用いられている。従来のスライドレールは、転動体付きのリテーナを用いた高コストのものが主流であるが、転動体およびリテーナを用いず、２つのレールそれぞれに設けたコロと相手側のレールを互いに摺動させるよう構成したものも知られている（例えば、特許文献１参照）。
【０００３】
上記特許文献１に開示されたものは、摺動部としてコロを用いたスライドレールであって、このスライドレールは、複写機、家具又は什器等の本体側に取り付けられる固定側レールと、引き出し側に取り付けられる移動側レールとを有し、固定側レール及び移動側レールのそれぞれにコロが取り付けられている。このように構成することで、スライドレールの生産性が高められ、スライドレールを安価に製作することができるとともに、複写機、家具又は什器等の本体や引き出し等へのスライドレールの取り付けを容易に行うことが可能となっている。
【発明の概要】
【発明が解決しようとする課題】
【０００４】
しかしながら、上記従来技術では、引き出しを引き出した際に、引き出し位置を所望の位置に固定できないという問題がある。すなわち、従来のスライドレールにおいては、上述したように、固定側レール及び移動側レールのそれぞれにコロが取り付けられ、移動側レールが滑らかに移動できるようにはなっているが、移動側レールを引き出した際、固定側レールに対して移動側レールを所望の位置に固定させる構成とはなっていない。
【０００５】
移動側レールを所望の位置に固定できないと、引き出し内の物を出し入れする際や、複写機等のユニットおよび部品を交換する際などに、作業者が引き出しに意図せず接触して、引き出しが挿入方向に移動し、物を挟み込んだりして作業効率が低下する。
【０００６】
また、従来のスライドレールでは、移動側レールを引き出した際には、固定側レールに設けられたコロと、移動側レールに設けられたコロとで引き出し全体を支えており、これらのコロに応力が集中してしまい、リテーナ式のスライドレールに比べて強度が弱いという問題もある。
【０００７】
本発明の課題は、移動側レールを引き出した際、固定側レールに対して移動側レールを所望の位置に固定できるとともに、全体の強度を向上させることが可能なスライドレールを提供することにある。
【課題を解決するための手段】
【０００８】
上記課題を解決するために、本発明は、固定され上下側端部が折り曲げられた固定側レールと、前記固定側レールの折り曲げ部間に配設され、該固定側レールの奥側へ挿入自在であり且つ該固定側レールの手前側へ引出自在であるとともに、上下側端部が前記固定側レールに向けて折り曲げられた移動側レールと、前記移動側レールに設けられ前記固定側レールの折り曲げ部に外周面が当接可能な大径コロと、前記固定側レールに設けられ前記移動側レールの折り曲げ部に外周面が当接可能であり且つ前記大径コロよりも径の小さい小径コロと、前記移動側レールに取り付けられた移動側ロック部材と、前記固定側レールに取り付けられた固定側ロック部材とを備え、
前記大径コロは、前記移動側レールのうち該移動側レールの挿入方向に沿って奥側端部に配設され、且つ前記小径コロは、前記固定側レールのうち前記移動側レールの引出方向に沿って手前側端部に配設され、
前記移動側ロック部材は下方に突出した凸部を、前記固定側ロック部材は上方に突出した凸部をそれぞれ有し、前記移動側レールを引き出した際、前記移動側ロック部材の凸部が前記固定側ロック部材の凸部を乗り越えて前記両凸部が互いに係合することにより、前記移動側ロック部材が前記固定側ロック部材にロックされ、前記移動側レールが前記固定側レールに固定されることを特徴とする。
【発明の効果】
【０００９】
本発明によれば、移動側レールを引き出した際、移動側ロック部材が固定側ロック部材にロックされるので、固定側レールに対して移動側レールを所望の位置に固定することができる。その結果、引き出し内の物を出し入れする際や、複写機等のユニットおよび部品を交換する際などに、作業者が引き出しに意図せず接触しても、引き出しが移動することはなく、作業効率を向上させることが可能となる。
【００１０】
移動側ロック部材が固定側ロック部材にロックした状態では、移動側レールに設けられた大径コロと、固定側レールに設けられた小径コロと、移動側ロック部材及び固定側ロック部材の３箇所で引き出し等の荷重を支えることになり、スライドレール全体の強度を向上させることができる。
【図面の簡単な説明】
【００１１】
【図１】実施例１によるスライドレールを示しており、（Ａ）は移動側レールの斜視図、（Ｂ）は固定側レールの斜視図である。
【図２】移動側レールを示しており、（Ａ）はその左側面図、（Ｂ）は正面図である。
【図３】固定側レールを示しており、（Ａ）はその左側面図、（Ｂ）は正面図である。
【図４】固定側レールと移動側レールとを比較したものであり、（Ａ）は固定側レールの縦断面図、（Ｂ）は移動側レールの縦断面図である。
【図５】移動側レールに設けられた大径コロと固定側レールとを比較したもので、（Ａ）は固定側レールの縦断面図、（Ｂ）は大径コロの側面図である。
【図６】固定側レールに設けられた小径コロと移動側レールとを比較したもので、（Ａ）は小径コロの側面図、（Ｂ）は移動側レールの縦断面図である。
【図７】固定側ロック部材（又は移動側ロック部材）の斜視図である。
【図８】固定側ロック部材の結合部を側面から見た拡大側面図である。
【図９】移動側レールを固定側レールに組み付けた様子を示しており、（Ａ）は移動側レールを挿入させたときの斜視図、（Ｂ）は移動側レールを引き出したときの斜視図である。
【図１０】（Ａ）〜（Ｅ）は移動側ロック部材が固定側ロック部材にロックされる様子を示した図である。
【図１１】移動側ロック部材の凸部が固定側ロック部材の凸部を乗り越える様子を示した図である。
【図１２】移動側レールが３箇所で支持される様子を説明した図である。
【図１３】スライドレールの強度シミュレーションを行った結果を示した図である。
【図１４】実施例２による移動側ロック部材と固定側ロック部材を示した図である。
【図１５】実施例３によるスライドレールを示しており、（Ａ）は移動側レールの斜視図、（Ｂ）は固定側レールの斜視図である。
【図１６】実施例３の作用を説明する図である。
【図１７】実施例４の作用を説明する図である。
【図１８】（Ａ）〜（Ｃ）は実施例４において移動側ロック部材が固定側ロック部材にロックされる様子を示した図である。
【図１９】実施例５を示しており、移動側ロック部材と大径コロとが一体化された場合の斜視図、または固定側ロック部材と小径コロとが一体化された場合の斜視図である。
【図２０】実施例６を示しており、移動側レールと移動側ロック部材とが一体化された場合の斜視図、または固定側レールと固定側ロック部材とが一体化された場合の斜視図である。
【図２１】実施例７によるスライドレールを示しており、（Ａ）は移動側レールが完全に挿入される直前の様子を示す斜視図、（Ｂ）は移動側レールが完全に挿入されたときの様子を示す斜視図である。
【図２２】嵌着ストッパの斜視図である。
【図２３】実施例８を示しており、本発明に係るスライドレールが搭載された画像形成装置の斜視図である。
【発明を実施するための形態】
【００１２】
以下、本発明の実施例を図面に従って説明する。
【実施例】
【００１３】
《実施例１》
図１は実施例１によるスライドレール１０を示しており、（Ａ）は移動側レール１１の斜視図、（Ｂ）は固定側レール１２の斜視図である。また、図２は移動側レール１１を示しており、（Ａ）はその左側面図、（Ｂ）は正面図である。さらに、図３は固定側レール１２を示しており、（Ａ）はその左側面図、（Ｂ）は正面図である。
【００１４】
固定側レール１２は複写機等の本体側に取り付けられ、移動側レール１１は複写機等の本体に挿入・引出自在に設けられた引き出し側に取り付けられる。なお、図１（Ａ）において、右側上方は複写機等の本体の奥側（移動側レール１１の挿入方向）を、左側下方は複写機等の本体の手前側（移動側レール１１の引出方向）をそれぞれ示している。また、図１（Ｂ）において、左側上方は複写機等の本体の奥側を、右側下方は複写機等の本体の手前側をそれぞれ示している。以下の図においては、移動側レール１１の挿入方向を（奥側）と記し、移動側レール１１の引出方向を（手前側）と記す。
【００１５】
移動側レール１１は帯状の板部材で形成されたレール本体１１Ａを有し、そのレール本体１１Ａの上部は水平方向に直角に折り曲げられ、さらにその折り曲げられた部分の先端は下方に向かって直角に折り曲げられている。ここでは、水平に折り曲げられた部分、及び下方に折り曲げられた部分とによって折り曲げ部１１Ｂが形成されている。
【００１６】
また、レール本体１１Ａの下部は水平方向に直角に折り曲げられ、さらにその折り曲げられた部分の先端は上方に向かって直角に折り曲げられている。ここでは、水平に折り曲げられた部分と、上方に折り曲げられた部分とによって折り曲げ部１１Ｃが形成されている。
【００１７】
そして、移動側レール１１は、図１（Ａ）及び図２（Ａ）に示すように、レール本体１１Ａの上部に折り曲げ部１１Ｂを、レール本体１１Ａの下部に折り曲げ部１１Ｃをそれぞれ有することにより、縦断面が略Ｃ型となっている。
【００１８】
さらに、移動側レール１１には、図１（Ａ）及び図２（Ｂ）に示すように、奥側（つまり、移動側レール１１の挿入方向）に張り出して形成された張り出し部１１Ｄが設けられている。張り出し部１１Ｄは帯状を成し、レール本体１１Ａに一体的に形成されている。
【００１９】
同様に、固定側レール１２も帯状の板部材で形成されたレール本体１２Ａを有し、そのレール本体１２Ａの上部は水平方向に直角に折り曲げられ、さらにその折り曲げられた部分の先端は下方に向かって直角に折り曲げられている。ここでは、水平に折り曲げられた部分と、下方に折り曲げられた部分とによって折り曲げ部１２Ｂが形成されている。
【００２０】
また、レール本体１２Ａの下部は水平方向に直角に折り曲げられ、さらにその折り曲げられた部分の先端は上方に向かって直角に折り曲げられている。ここでは、水平に折り曲げられた部分と、上方に折り曲げられた部分とによって折り曲げ部１２Ｃが形成されている。
【００２１】
そして、固定側レール１２は、図１（Ｂ）及び図３（Ａ）に示すように、レール本体１２Ａの上部に折り曲げ部１２Ｂを、レール本体１２Ａの下部に折り曲げ部１２Ｃをそれぞれ有することにより、縦断面が略Ｃ型となっている。
【００２２】
移動側レール１１には、図２（Ｂ）に示すように、張り出し部１１Ｄにピン孔１３が形成され、このピン孔１３には、図１（Ａ）に示すように、ピン（図示省略）によって大径コロ１４が回転自在に取り付けられている。また、移動側レール１１には、図２（Ｂ）に示すように、レール本体１１Ａのうち張り出し部１１Ｄ近傍の部分に２つのねじ孔１５，１５が水平方向に並んで形成され、これらねじ孔１５，１５には、図１（Ａ）に示すように、２本のねじ（図示省略）によって移動側ロック部材１６が取り付けられている。
【００２３】
固定側レール１２には、図３（Ｂ）に示すように、レール本体１２Ａのうち手前側に近い部分にピン孔１７が形成され、このピン孔１７には、図１（Ｂ）に示すように、ピン（図示省略）によって小径コロ１８が回転自在に取り付けられている。また、固定側レール１２には、図３（Ｂ）に示すように、レール本体１２Ａのうちピン孔１７よりも奥側に寄った部分に２つのねじ孔１９，１９が水平方向に並んで形成され、これらねじ孔１９，１９には、図１（Ｂ）に示すように、２本のねじ（図示省略）によって固定側ロック部材２１が取り付けられている。
【００２４】
図４は固定側レール１２と移動側レール１１とを比較したものであり、（Ａ）は固定側レール１２の縦断面を、（Ｂ）は移動側レール１１の縦断面をそれぞれ示している。図４に示すように、固定側レール１２のレール本体１２Ａの幅（背面の高さ）Ｌ１は、移動側レール１１のレール本体１１Ａの幅（背面の高さ）Ｌ２よりも十分に大きく、また、固定側レール１２における上側の折り曲げ部１２Ｂの下部先端１２Ｅと下側の折り曲げ部１２Ｃの上部先端１２Ｆとの間隔Ｌ３は、移動側レール１１のレール本体１１Ａの幅Ｌ２よりも大きく設定されている。
【００２５】
図５は移動側レール１１に設けられた大径コロ１４と固定側レール１２とを比較したもので、（Ａ）は固定側レール１２の縦断面図、（Ｂ）は大径コロ１４の側面図である。大径コロ１４は円柱状を成し（図１（Ａ）参照）、その外周面の中央部分に周方向に沿って溝１４Ａが形成されている。溝１４Ａは、その断面が矩形を成しており、溝１４Ａの下部には平坦な溝底１４Ｂが形成されている。これにより、溝１４Ａの両側にはフランジ部１４Ｃが形成されている。
【００２６】
大径コロ１４は、図５に示すように、溝底１４Ｂの外径（溝底１４Ｂ間の距離）Ｄ１が、固定側レール１２における上側の折り曲げ部１２Ｂの下部先端１２Ｅと下側の折り曲げ部１２Ｃの上部先端１２Ｆとの間隔Ｌ３よりも若干小さく形成されている。また、大径コロ１４は、溝１４Ａ両側のフランジ部１４Ｃの外径Ｄ２が、前記間隔Ｌ３よりも大きく形成されている。
【００２７】
図６は固定側レール１２に設けられた小径コロ１８と移動側レール１１とを比較したもので、（Ａ）は小径コロ１８の側面図、（Ｂ）は移動側レール１１の縦断面図である。小径コロ１８は円柱状を成し（図１（Ｂ）参照）、その外周面の中央部分に周方向に沿って溝１８Ａが形成されている。溝１８Ａは、その断面が矩形を成しており、溝１８Ａの下部には平坦な溝底１８Ｂが形成されている。これにより、溝１８Ａの両側にはフランジ部１８Ｃが形成されている。
【００２８】
小径コロ１８は、図６に示すように、溝底１８Ｂの外径（溝底１８Ｂ間の距離）Ｄ３が、移動側レール１１における上側の折り曲げ部１１Ｂの下部先端１１Ｅと下側の折り曲げ部１１Ｃの上部先端１１Ｆとの間隔Ｌ４よりも若干小さく形成されている。また、小径コロ１８は、溝１８Ａ両側のフランジ部１８Ｃの外径Ｄ４が、前記間隔Ｌ４よりも大きく形成されている。
【００２９】
図７は、固定側ロック部材２１（又は移動側ロック部材１６）の斜視図である。移動側ロック部材１６も固定側ロック部材２１も同形状であるので、ここでは、固定側ロック部材２１についてのみ説明する。
【００３０】
固定側ロック部材２１には、図７に示すように、その右方側に四角柱の中実材料で形成された基部２１Ａが設けられ、その基部２１Ａの先端側（つまり左方側）に移動側ロック部材１６と結合可能な結合部２１Ｂが設けられている。
【００３１】
固定側ロック部材２１は、固定側レール１２のレール本体１２Ａのうち、上側の折り曲げ部１２Ｂと下側の折り曲げ部１２Ｃ間の上下中央位置に水平に取り付けられており、この取り付けのために、固定側ロック部材２１の基部２１Ａには２つの貫通孔２２，２２が水平方向に並んで設けられている。これら貫通孔２２，２２には図示していないねじが各々挿通され、さらに、図１（Ｂ）に示すように、前記各ねじは固定側レール１２に設けられたねじ孔１９，１９に各々螺合される。これにより、固定側ロック部材２１を固定側レール１２の強固に取り付けることができる。
【００３２】
図８は、固定側ロック部材２１の結合部２１Ｂを側面から見た拡大図である。図８に示すように、固定側ロック部材２１の先端側（図の左側）には上方に突出した凸部２１Ｃが設けられている。凸部２１Ｃには、前面側（図の左側）に傾斜が比較的緩やかな先端傾斜面２１Ｄが、後面側（図の右側）に傾斜が比較的急な係合面２１Ｅがそれぞれ形成されている。先端傾斜面２１Ｄの傾斜角をθ１とし、係合面２１Ｅの傾斜角をθ２とすると、θ２＞θ１である。
【００３３】
また、凸部２１Ｃの後方（図の右側）には、係合面２１Ｅの下辺に繋がった平坦な水平面２１Ｆが設けられ、この水平面２１Ｆの後方（図の右側）には、基部２１Ａに向かって凹状に形成された突き当て部２１Ｇが形成されている。
【００３４】
凸部２１Ｃの底部には、先端部側（図の左側）に向かってせり上がった傾斜面２１Ｈが形成され、凸部２１Ｃの先端傾斜面２１Ｄと傾斜面２１Ｈとで挟まれた突端部分２１Ｊは鋭角に形成されている。前記突き当て部２１Ｇの形状は、例えば移動側ロック部材１６が固定側ロック部材２１にロックされた後、移動側ロック部材１６の突端部分（固定側ロック部材２１の突端部分２１Ｊに相当する部分）がスムーズに嵌り込むよう、移動側ロック部材１６の突端部分に倣った形状に形成されている。
【００３５】
図９は移動側レール１１を固定側レール１２に組み付けた様子を示しており、（Ａ）は移動側レール１１を挿入させたときの斜視図、（Ｂ）は移動側レール１１を引き出したときの斜視図である。
【００３６】
移動側レール１１を固定側レール１２に組み付ける手順としては、先ず、図１に示したように、移動側レール１１に移動側ロック部材１６及び大径コロ１４を、固定側レール１２に固定側ロック部材２１及び小径コロ１８をそれぞれ取り付けておく。
【００３７】
次に、移動側ロック部材１６及び大径コロ１４が取り付けられた移動側レール１１を、固定側ロック部材２１及び小径コロ１８が取り付けられた固定側レール１２に組み付ける。すなわち、移動側レール１１の手前側を固定側レールの奥側に合わせた後、移動側レール１１を固定側レール１２に組み込んでいく。この場合、固定側レール１２の上下の折り曲げ部１２Ｂ，１２Ｃが大径コロ１４の溝１４Ａ内に、移動側レール１１の上下の折り曲げ部１１Ｂ，１１Ｃが小径コロ１８の溝１８Ａ内にそれぞれ入り込むように調整しながら、移動側レール１１を、固定側レール１２の上下の折り曲げ部１２Ｂ，１２Ｃ間に嵌め込む。
【００３８】
次に、本実施例におけるスライドレールの動作について説明する。
【００３９】
図９において（Ａ）から（Ｂ）のように移動側レール１１を引出方向へ移動させると、大径コロ１４は、固定側レール１２の折り曲げ部１２Ｂ，１２Ｃに案内され回転しながら移動側レール１１と共に引出方向（手前側）に移動する一方、小径コロ１８は移動側レール１１の折り曲げ部１１Ｂ，１１Ｃに当接しながら回転し、移動側レール１１の引出方向への移動を案内する。そして、移動側ロック部材１６が固定側ロック部材２１に係合し、さらに移動側ロック部材１６と固定側ロック部材２１がロックすると、移動側レール１１の引出方向への移動が止められる。
【００４０】
図１０は、移動側ロック部材１６が固定側ロック部材２１にロックされる様子を示している。上述したように、固定側ロック部材２１は基部２１Ａと結合部２１Ｂとを有し、結合部２１Ｂには、凸部２１Ｃ、先端傾斜面２１Ｄ、係合面２１Ｅ、水平面２１Ｆ、突き当て部２１Ｇ、傾斜面２１Ｈ及び突端部分２１Ｊが設けられている。同様に、移動側ロック部材１６は基部１６Ａと結合部１６Ｂとを有し、結合部１６Ｂには、凸部１６Ｃ、先端傾斜面１６Ｄ、係合面１６Ｅ、水平面１６Ｆ、突き当て部１６Ｇ、傾斜面１６Ｈ及び突端部分１６Ｊが設けられている。なお、固定側ロック部材２１は、凸部２１Ｃの先端が上方に向くように取り付けられているが、移動側ロック部材１６は、凸部１６Ｃの先端が下方に向くように取り付けられている。つまり、移動側ロック部材１６と固定側ロック部材２１とは点対称に配置されている。
【００４１】
移動側レール１１を引出方向へ移動させていくと、同図（Ａ）に示すように、移動側ロック部材１６が矢印Ａのように固定側ロック部材２１に接近し、やがて移動側ロック部材１６の先端傾斜面１６Ｄが固定側ロック部材２１の先端傾斜面２１Ｄに当接する。
【００４２】
先端傾斜面１６Ｄと先端傾斜面２１Ｄは共に同方向に傾斜しているので、先端傾斜面１６Ｄが先端傾斜面２１Ｄに当接して移動側ロック部材１６に引出方向の力が更に加わると、同図（Ｂ）に示すように、先端傾斜面１６Ｄが先端傾斜面２１Ｄに沿って摺動して、移動側ロック部材１６は矢印Ｂのように斜め上方に回動する。移動側ロック部材１６は移動側レール１１に固定されているので、移動側ロック部材１６が矢印Ｂのように回動すると、移動側レール１１も同方向に回動する。すなわち、図１１に示すように、移動側レール１１は大径コロ１４の中心軸である取付ピン１４Ｄを中心に回動する。
【００４３】
そして、移動側ロック部材１６は、図１０（Ｃ）に示すように、矢印Ｃのように凸部１６Ｃの頂部が固定側ロック部材２１の凸部２１Ｃの頂部に到達するまで移動した後、同図（Ｄ）に示すように、移動側ロック部材１６の凸部１６Ｃが固定側ロック部材２１の凸部２１Ｃを乗り越えて、移動側ロック部材１６は矢印Ｄのように斜め下方に回動する。移動側ロック部材１６は移動側レール１１に固定されているので、移動側ロック部材１６が矢印Ｄのように回動すると、移動側レール１１も同方向に回動する。すなわち、移動側レール１１は、通常時の状態である固定側レール１２に略平行な状態となる。
【００４４】
この状態のとき、移動側ロック部材１６の係合面１６Ｅは固定側ロック部材２１の係合面２１Ｅに係合しており、移動側ロック部材１６は固定側ロック部材２１にロックされる。そのため、移動側レール１１が固定側レール１２の所望の位置に固定され、例えば、引き出し内の物を出し入れする際や、複写機等のユニットおよび部品を交換する際などに、作業者が引き出しに意図せず接触しても、引き出しが挿入方向に移動することはない。
【００４５】
移動側レール１１を引出方向（矢印Ａ方向）に更に移動させると、同図（Ｅ）に示すように、移動側ロック部材１６の凸部１６Ｃは固定側ロック部材２１の水平面２１Ｆ上を摺動し、その後、凸部１６Ｃは固定側ロック部材２１の突き当て部２１Ｇに嵌り込んで、移動側ロック部材１６つまり移動側レール１１の引出方向への移動が規制される。
【００４６】
なお、図１０において、縦方向の破線は、移動側ロック部材１６の凸部１６Ｃの頂部が固定側ロック部材２１の凸部２１Ｃの頂部に達したとき（同図（Ｃ）の状態）の位置を示している。
【００４７】
図１１は、移動側ロック部材１６の凸部１６Ｃが固定側ロック部材２１の凸部２１Ｃを乗り越える様子を示した図である。固定側レール１２における上側の折り曲げ部１２Ｂの下部先端１２Ｅと下側の折り曲げ部１２Ｃの上部先端１２Ｆとの間隔Ｌ３は、移動側レール１１のレール本体１１Ａの幅Ｌ２よりも大きく設定されている（図４参照）ので、凸部１６Ｃが凸部２１Ｃを乗り越える際、移動側レール１１は大径コロ１４の取付ピン１４Ｄを中心にして容易に回動することができる。この場合、図１１においては、移動側レール１１の左端下部が固定側レール１２の折り曲げ部１２Ｃの上部先端１２Ｆにぶつかり、かつ移動側レール１１の折り曲げ部１１Ｃの上部先端１１Ｆ中央部が小径コロ１８の溝底１８Ｂにぶつかる。このとき、大径コロ１４は、その溝底１４Ｂが固定側レール１２の折り曲げ部１２Ｃの上部先端１２Ｆに当接している。
【００４８】
本実施例によれば、図１２に示すように、移動側レール１１を引き出したとき、引き出し等から移動側レール１１に加わる荷重を、大径コロ１４の溝底１４Ｂと固定側レール１２の折り曲げ部１２Ｃの上部先端１２Ｆとの接触部Ｑ１、小径コロ１８の溝底１８Ｂと移動側レール１１の折り曲げ部１１Ｃの下部先端１１Ｅとの接触部Ｑ２、及び移動側ロック部材１６の結合部１６Ｂと固定側ロック部材２１の結合部２１Ｂとの接触部Ｑ３の３箇所で支えることになり、スライドレールの強度を向上させることができる。
【００４９】
特許文献１として挙げた従来のスライドレールでは、固定側レールと大径コロとの接触部、及び移動側レールと小径コロとの接触部の２箇所で、移動側レールに加わる荷重を支えており、スライドレールの強度不足が懸念されていた。
【００５０】
図１３は、スライドレールの強度シミュレーションを行った結果を示している。ロック部材（移動側ロック部材１６及び固定側ロック部材２１）が設けられている場合と、これらロック部材が設けられていない場合とについて、移動側レール１１の引出方向の先端に１００Ｎの荷重を加えた場合における、スライドレール全体の安全率を強度シミュレーションにて算出して、最小安全率を比較した。
【００５１】
図１３に示すように、ロック部材が設けられていない場合（ロック部材無しの場合）は、最小安全率が２.５３であるのに対し、ロック部材が設けられている場合（ロック部材有りの場合）は最小安全率が３.４５となり、ロック部材を追加することにより、スライドレール全体の耐荷重性を向上させることができることを確認した。
【００５２】
《実施例２》
図１４は実施例２を示している。本実施例では、移動側ロック部材１６の係合面１６Ｅと固定側ロック部材２１の係合面２１Ｅが移動側レール１１の移動方向（挿入方向及び引出方向）に対して略直角に形成されている。
【００５３】
本実施例によれば、移動側レール１１を引き出して移動側ロック部材１６と固定側ロック部材２１とをロックさせると、移動側ロック部材１６と固定側ロック部材２１の両係合面１６Ｅ，２１Ｅが移動側レールの移動方向に対して略直角であるので、単に移動側レール１１を挿入させる方向に力が加わっただけでは前記ロックは解除されない。そのため、移動側レール１１への意図しない接触によって移動側レール１１が挿入方向へ移動してしまうのを防ぐことができる。
【００５４】
なお、移動側レール１１を強制的に挿入しようとする場合は、移動側レール１１の手前側を上方向に少し持ち上げて、移動側ロック部材１６と固定側ロック部材２１とのロック状態を解除してから、移動側レール１１を押し込む必要がある。
【００５５】
《実施例３》
図１５は実施例３によるスライドレール１０を示しており、（Ａ）は移動側レール１１の斜視図、（Ｂ）は固定側レール１２の斜視図である。本実施例では、図１５（Ｂ）に示すように、固定側レール１２の上側の折り曲げ部１２Ｂのうち手前側に近い部分がカットされ、当該部分にカット部３１が形成されている。さらに、カット部３１付近の折り曲げ部１２Ｂには、下部先端１２Ｅが斜めにカットされた切欠き部３２が形成されている（図１６参照）。
【００５６】
また、移動側レール１１には、図１５（Ａ）に示すように、下側の折り曲げ部１２Ｃの上部先端１２Ｆに切欠き部３３が形成されている。この切欠き部３３は、移動側レール１１において奥側と手前側の略中央部に形成されている。また、切欠き部３３は、図１６に示すように、中央は平坦であるが、その平坦部分の両側は傾斜している。他の構成は、図１に示した実施例１の場合と同様である。
【００５７】
本実施例のように構成すれば、移動側レール１１を引き出す際に、小径コロ１８の溝底１８Ｂが移動側レール１１の切欠き部３３内に入り込むとともに、移動側レール１１の折り曲げ部１１Ｂが固定側レール１２のカット部３１及び切欠き部３２に入り込むので、移動側レール１１の回動範囲を大きく取ることができる。
【００５８】
《実施例４》
図１７は実施例４を示している。本実施例では、実施例３の場合とは逆に、固定側レール１２の下側の折り曲げ部１２Ｃのうち手前側に近い部分がカットされ、当該部分にカット部３４が形成されている。さらに、カット部３４付近の折り曲げ部１２Ｃには、上部先端１２Ｆが斜めにカットされた切欠き部３５が形成されている。
【００５９】
また、移動側レール１１には、上側の折り曲げ部１２Ｂの下部先端１２Ｅに切欠き部３６が形成されている。この切欠き部３６は、移動側レール１１において奥側と手前側の略中央部に形成されている。また、切欠き部３６は、中央は平坦であるが、その平坦部分の両側は傾斜している。
【００６０】
さらに、本実施例では、移動側ロック部材１６及び固定側ロック部材２１の取付位置が、上下方向に僅かにずれている。すなわち、移動側レール１１を固定側レールに挿入した状態では、移動側ロック部材１６は固定側ロック部材２１よりも上方に位置している。他の構成は、図１に示した実施例１の場合と同様である。
【００６１】
本実施例のように構成すれば、移動側レール１１を引き出す際に、小径コロ１８の溝底１８Ｂが移動側レール１１の切欠き部３６内に入り込むとともに、移動側レール１１の折り曲げ部１１Ｃが固定側レール１２のカット部３４及び切欠き部３５に入り込むので、移動側レール１１の回動範囲を大きく取ることができる。
【００６２】
図１８は、移動側ロック部材１６が固定側ロック部材２１にロックされる様子を示している。上述したように移動側レール１１を固定側レールに挿入した状態では、図１８（Ａ）に示すように、移動側ロック部材１６は固定側ロック部材２１よりもｈだけ上方に位置するように設定されている。そして、同図（Ａ）に示すように、移動側レール１１を引き出して移動側ロック部材１６を矢印Ｅのように移動させると、移動側ロック部材１６の凸部１６Ｃが固定側ロック部材２１の凸部２１Ｃの上方に位置する。このとき、移動側ロック部材１６の先端傾斜面１６Ｄは固定側ロック部材２１の先端傾斜面２１Ｄに接触はしていない。
【００６３】
移動側ロック部材１６を更に矢印Ｅのように移動させると、同図（Ｂ）に示すように、移動側ロック部材１６の凸部１６Ｃの頂点が固定側ロック部材２１の凸部２１Ｃの頂点の上方に達する。
【００６４】
そして、移動側ロック部材１６を更に移動させると、図１７で示したように小径コロ１８の溝底１８Ｂが移動側レール１１の切欠き部３６内に入り込むとともに、図１８（Ｃ）に示すように、移動側ロック部材１６の凸部１６Ｃが固定側ロック部材２１の凸部２１Ｃの後側へ入り込み、移動側ロック部材１６は全体が矢印Ｆのように斜め方向に降下して、移動側ロック部材１６の高さと固定側ロック部材２１の高さが一致する。これにより、移動側ロック部材１６と固定側ロック部材２１とをロックさせることができる。
【００６５】
なお、図１８において、縦方向の破線は、移動側ロック部材１６の凸部１６Ｃの頂部が固定側ロック部材２１の凸部２１Ｃの頂部に達したとき（同図（Ｂ）の状態）の位置を示している。
【００６６】
本実施例の場合も、移動側ロック部材１６と固定側ロック部材２１とをロックを解除させるための一定以上の力を加えなければ、移動側レール１１を挿入方向（奥側）させることができず、作業者が引き出しに意図せず接触しても、引き出しが挿入方向に移動することはない。
【００６７】
《実施例５》
図１９は実施例５を示している。本実施例では、移動側ロック部材４１と大径コロ４２とが一体化され、さらに固定側ロック部材４３と小径コロ４４とが一体化されている。大径コロ４２には、移動側ロック部材４１が設けられた部分を除いて外周面に溝４２Ａが形成されている。また、小径コロ４４にも、固定側ロック部材４３が設けられた部分を除いて外周面に溝４４Ａが形成されている。なお、移動側ロック部材４１の結合部４１Ａや固定側ロック部材４３の結合部４３Ｂの形状は、図７及び図８に示した結合部２１Ｂと同じである。
【００６８】
本実施例の場合、移動側レール１１の挿入方向又は引出方向への移動に伴って、大径コロ４２は回転せずに固定側レール１２の折り曲げ部１２Ｃの上部先端１２Ｆ上を滑りながら移動し、小径コロ４４も回転せずに移動側レール１１の折り曲げ部１１Ｃの上部先端１１Ｆ上を滑りながら移動することになる。
【００６９】
本実施例によれば、移動側ロック部材４１と大径コロ４２とが一体化され、さらに固定側ロック部材４３と小径コロ４４とが一体化されているので、部品点数を削減することができる。
【００７０】
《実施例６》
図２０は実施例６を示している。本実施例では、移動側レール１１と移動側ロック部材５１とが一体化されている。すなわち、移動側レール１１のレール本体１１Ａに一部を残して略矩形状の切り込みが入れられ、その切り込みが入れられた部分５３の一部が水平方向に折り曲げられて、この折り曲げ部が移動側ロック部材５１となっている。移動側ロック部材５１は、平坦部５４と、下方に突出して折り曲げられた凸部５５とを有し、この凸部５５の先端側下面が先端傾斜面５５Ａを、手前側下面が係合面５５Ｂをそれぞれ形成している。
【００７１】
図には示してないが、固定側ロック部材も、移動側ロック部材５１と同様、平坦部と、凸部とを有しているが、この凸部は、移動側ロック部材とは逆に上方に突出して折り曲げられている。
【００７２】
本実施例によれば、移動側レール１１と移動側ロック部材５１とが一体化され、また固定側レールと固定側ロック部材とが一体化されているので、部品点数の削減を図ることができる。
【００７３】
《実施例７》
図２１は実施例７によるスライドレール１０を示しており、（Ａ）は移動側レール１１が完全に挿入される直前の様子を示す斜視図、（Ｂ）は移動側レール１１が完全に挿入されたときの様子を示す斜視図である。
【００７４】
本実施例では、移動側レール１１の張り出し部１１Ｄの先端を先細とし、かつその先細部分６１の上下外縁に切り込み６２，６２が形成されている。また本実施例では、固定側レール１２の奥側端部に嵌着ストッパ６３が設けられている。嵌着ストッパ６３には、図２２に示すように、弾性を有する上アーム６４及び下アーム６５が設けられ、上アーム６４はその先端が斜め下方に、下アーム６５はその先端は斜め上方にそれぞれ折り曲げられている。
【００７５】
このように構成すれば、移動側レール１１を奥側へ挿入して張り出し部１１Ｄが嵌着ストッパ６３に到達したとき、移動側レール１１の先細部分６１の切り込み６２，６２に、嵌着ストッパ６３の上アーム６４及び下アーム６５の先端が入り込み、移動側レール１１をスナップフィットする。これにより、移動側レール１１の挿入量を制限し、かつ、挿入位置を固定することができる。
【００７６】
《実施例８》
図２３は、上記各実施例におけるスライドレールが搭載された画像形成装置７０を示している。画像形成装置７０は、下部に引き出し収納部７１が形成され、この引き出し収納部７１に、用紙がセットされた引き出し７２が設けられている。引き出し７２は、スライドレール１０を介して引き出し収納部７１に挿入・引出自在に設けられている。図には示していないが、スライドレール１０（例えば、図１のスライドレール１０）は、移動側レール１１が引き出し７２側に、固定側レール１２が引き出し収納部７１の内壁面にそれぞれ取り付けられている。
【００７７】
以上、本発明の実施例を図面により詳述してきたが、上記各実施例は本発明の例示にしか過ぎないものであり、本発明は上記各実施例の構成にのみ限定されるものではない。本発明の要旨を逸脱しない範囲の設計の変更等があっても、本発明に含まれることは勿論である。
【符号の説明】
【００７８】
１０  スライドレール
１１  移動側レール
１１Ｂ  上側の折り曲げ部
１１Ｃ  下側の折り曲げ部
１２  固定側レール
１２Ｂ  上側の折り曲げ部
１２Ｃ  下側の折り曲げ部
１４  大径コロ
１４Ａ  溝
１４Ｂ  溝底
１６  移動側ロック部材
１６Ｂ  結合部
１６Ｃ  凸部
１６Ｄ  前部傾斜面
１６Ｅ  係合面
１６Ｇ  突き当て部
１８  小径コロ
１８Ａ  溝
１８Ｂ  溝底
２１  固定側ロック部材
２１Ｂ  結合部
２１Ｃ  凸部
２１Ｄ  前部傾斜面
２１Ｅ  係合面
２１Ｇ  突き当て部
３１，３４  カット部
３２，３５  切欠き部
３３，３６  切欠き部
４１  移動側ロック部材
４２  大径コロ
４３  固定側ロック部材
４４  小径コロ
５１  移動側ロック部材
６１  先細部分
６２  切り込み
６３  嵌着ストッパ
７０  画像形成装置
７１  引き出し収納部
７２  引き出し
【先行技術文献】
【特許文献】
【００７９】
【特許文献１】特開２００１−１７３３０５号公報
【図１】
2012245140.tif 000003
【図２】
2012245140.tif 000004
【図３】
2012245140.tif 000005
【図４】
2012245140.tif 000006
【図５】
2012245140.tif 000007
【図６】
2012245140.tif 000008
【図７】
2012245140.tif 000009
【図８】
2012245140.tif 000010
【図９】
2012245140.tif 000011
【図１０】
2012245140.tif 000012
【図１１】
2012245140.tif 000013
【図１２】
2012245140.tif 000014
【図１３】
2012245140.tif 000015
【図１４】
2012245140.tif 000016
【図１５】
2012245140.tif 000017
【図１６】
2012245140.tif 000018
【図１７】
2012245140.tif 000019
【図１８】
2012245140.tif 000020
【図１９】
2012245140.tif 000021
【図２０】
2012245140.tif 000022
【図２１】
2012245140.tif 000023
【図２２】
2012245140.tif 000024
【図２３】
2012245140.tif 000025